(57)【要約】【課題】電子機器とコントロール装置本体を電気的に接続する接続部材がコントロール装置本体から簡単に外れないようにすること。【解決手段】コントロール装置は、装置本体２と、接続部材３を備えている。接続部材３は、ケーブル１１の一端にコネクタが設けられ、他端にジャック１３が設けられており、ジャック１３の先端部に係合部１４を有している。装置本体２は、開口部を有する筐体２１と、プラグ６６と、係止部材６７を有している。プラグ６６は、先端が開口部に臨むように筐体２１の内部に配置され、接続部材３のジャック１３が着脱可能に接続される。係止部材６７は、プラグ６６に接続したジャック１３を回転させることにより、係合部１４と係合してジャック１３がプラグから外れることを阻止する。【選択図】図１２
2010056945.tif 000002
【特許請求の範囲】
【請求項１】
ケーブルと、前記ケーブルの一端に設けられ、電子機器に着脱可能に接続されるコネクタと、前記ケーブルの他端に設けられたジャックと、前記ジャックの先端部に設けられた係合部とを有する接続部材と、
開口部を有し、且つ前記電子機器を操作するための操作部が設けられた筐体と、先端が前記開口部に臨むように前記筐体の内部に配置され、前記接続部材の前記ジャックが着脱可能に接続されるプラグと、前記プラグに接続した前記ジャックを回転させることにより、前記係合部と係合して前記ジャックが前記プラグから外れることを阻止する係止部材とを有する装置本体と、
を備えるコントロール装置。
【請求項２】
前記装置本体には、前記接続部材を介して前記電子機器から電源が供給される
請求項１に記載のコントロール装置。
【請求項３】
前記係合部は、前記ジャックの外周から突出する係合突起である
請求項２に記載のコントロール装置。
【請求項４】
前記係止部材は、前記係合部と当接して前記ジャックの回転を制限する制限突部を有する
請求項３に記載のコントロール装置。
【請求項５】
前記係止部材は、前記係合部と係合することにより前記ジャックの回転に対して抵抗力を生じさせる抵抗突部を有し、
前記係合部は、前記抵抗突部との係合が外れると、前記回転制限突部に当接する
請求項４に記載のコントロール装置。
【請求項６】
前記筐体の前記開口部は、前記ジャック及び前記係合部の外形と同じ形状に形成される
請求項３に記載のコントロール装置。
【請求項７】
前記係合部は、前記ジャックの外周から突出する２以上の突起からなる
請求項３に記載のコントロール装置。
【請求項８】
前記係合部は、前記ジャックの軸心に対して対称に配置された２つの突起からなる
請求項３に記載のコントロール装置。
【請求項９】
前記ジャックは、前記プラグに接続された状態で前記筐体の外側に配置される回転操作用突部を有する
請求項１に記載のコントロール装置。
【発明の詳細な説明】
【技術分野】
【０００１】
本発明は、ケーブルを介して電子機器と電気的に接続され、その電子機器を操作することができるコントロール装置に関する。
【背景技術】
【０００２】
近年、ビデオカメラと電気的に接続され、そのビデオカメラの録画操作やズーム操作を行うコントロール装置が提供されている。このコントロール装置を用いれば、ビデオカメラに直接触れずにそのビデオカメラを操作することができるため、ぶれが生じない映像を撮影することができる。
【０００３】
このようなコントロール装置は、ビデオカメラの操作を行うための操作部を有するコントロール装置本体と、このコントロール装置本体とビデオカメラとを電気的に接続する接続部材から構成されている。接続部材は、一端がコントロール装置本体と一体に形成されたケーブルと、このケーブルの他端に設けられたプラグからなっている。そして、ビデオカメラには、接続部材のプラグが差し込まれるジャックが設けられている。
【０００４】
ビデオカメラに設けられたジャックにプラグを差し込んで信号の伝送を行う技術としては、例えば、特許文献１に記載されているようなものがある。特許文献１には、周辺機器との間で伝送される信号の種類を判別する信号入力装置に関するものが記載されている。この特許文献１に記載された信号入力装置は、ジャックを介して供給される制御信号の種類を判別して判別信号を生成する信号判別切替手段と、判別信号に基づいて信号処理部の制御を切り替える制御部とを備えている。
【０００５】
周辺機器と信号入力装置とを電気的に接続する接続部材（ケーブル）は、一端が周辺機器と一体に構成されている。そして、ケーブルの他端には、信号入力装置のジャックに差し込まれるプラグが設けられている。
【０００６】
【特許文献１】特開２００１−１６５３２号公報
【０００７】
ところで、特許文献１に記載された周辺機器と同様に、コントロール装置本体と接続部材が一体に構成されると、コントロール装置本体とビデオカメラとの離間距離は、接続部材の長さの範囲内に設定しなければならない。
【０００８】
コントロール装置本体とビデオカメラとの離間距離は、撮影する状況によって異なる。例えば、ビデオカメラをクレーンに固定し、そのクレーンから離れた位置でコントロール装置本体を使用する場合、接続部材の長さは、約１０ｍ必要になる。一方、ビデオカメラを三脚に固定し、三脚の近くでコントロール装置本体を使用する場合、接続部材の長さは、約１ｍあればよい。三脚の近くでコントロール装置本体を使用する場合に、接続部材の長さが約１０ｍもあると、接続部材が邪魔になる。
【０００９】
そこで、ビデオカメラと接続部材との接続と同様に、ジャックとプラグを用いて接続部材をコントロール装置本体に着脱可能に構成することが望まれている。このように構成すれば、長さの異なる複数の接続部材を用意することで撮影の状況に応じた長さの接続部材を使用することができる。
【発明の開示】
【発明が解決しようとする課題】
【００１０】
しかしながら、ジャックとプラグを用いて接続部材をコントロール装置本体に着脱可能に構成すると、接続部材が引っ張られた場合に、コントロール装置本体から接続部材が容易に抜けてしまうという心配がある。コントロール装置本体から接続部材が抜けると、そのコントロール装置本体によってビデオカメラの操作を行うことができなくなり、撮影の機会を失うという問題が生じる。
【００１１】
本発明は、このような状況に鑑みてなされたものであり、電子機器とコントロール装置本体を電気的に接続する接続部材がコントロール装置本体から簡単に外れないようにすることを目的とする。
【課題を解決するための手段】
【００１２】
本発明のコントロール装置は、接続部材と、装置本体とを備えている。接続部材は、ケーブルと、ケーブルの一端に設けられ、電子機器に着脱可能に接続されるコネクタと、ケーブルの他端に設けられたジャックと、ジャックの先端部に設けられた係合部とを有する。装置本体は、開口部を有し、且つ電子機器を操作するための操作部が設けられた筐体と、先端が開口部に臨むように筐体の内部に配置されたプラグと、ジャックがプラグから外れることを阻止する係止部材とを有する。装置本体のプラグは、接続部材のジャックが着脱可能に接続される。そして係止部材は、プラグに接続したジャックを回転させることにより、ジャックの先端部に設けられた係合部と係合する。
【００１３】
本発明のコントロール装置では、接続部材のジャックに装置本体のプラグを挿入し、ジャックを回転させると、ジャックの先端部に設けられた係合部が装置本体の係止部材に係合し、ジャックがプラグから外れなくなる。
【発明の効果】
【００１４】
本発明のコントロール装置によれば、接続部材が引っ張られても、その接続部材のジャックが装置本体のプラグから外れることを防止することができる。
【発明を実施するための最良の形態】
【００１５】
以下、本発明のコントロール装置を実施するための最良の形態について、図面を参照して説明するが、本発明は以下の形態に限定されるものではない。
【００１６】
〈１．第１の実施の形態〉
［コントロール装置の構成例］
まず、本発明のコントロール装置の第１の実施形態の外観構成について、図１を参照して説明する。
図１は、本発明のコントロール装置の第１の実施形態を示す斜視図である。
【００１７】
コントロール装置１は、ビデオカメラの録画のスタート及びストップやズームなどの操作を、ビデオカメラから離れた場所で行うことができる装置である。このコントロール装置１は、ビデオカメラのコンソール（制御卓）となるコントロール装置本体（以下、「装置本体」という）２と、この装置本体２をビデオカメラ（図示せず）に電気的に接続する接続部材３からなっている。
【００１８】
［接続部材の構成例］
接続部材３は、装置本体２に対して着脱可能に構成されている。この接続部材３は、ケーブル１１と、このケーブル１１の一端に設けられたコネクタ１２と、ケーブル１１の他端に設けられたジャック１３とを備えている。コネクタ１２は、略円柱状のプラグであり、いわゆるステレオミニミニプラグ（直径２．５ｍｍ）として構成されている。このコネクタ１２は、ビデオカメラに設けられたジャックに着脱可能に接続されるようになっている。
【００１９】
次に、接続部材３のジャック１３について図２を参照して説明する。
図２は、接続部材３のジャック１３を示す斜視図である。
【００２０】
まず、一般的なジャックとプラグについて説明する。プラグは、接続部である端子が凸になっている、いわゆるオス型のコネクタである。一方、ジャックは、接続部である端子が凹になっている、いわゆるメス型のコネクタである。ジャックの凹状の端子にプラグの凸状の端子を挿入することにより、ジャックとプラグが電気的に接続される。
【００２１】
接続部材３のジャック１３は、挿入孔１３ａを有する筒状に形成されており、いわゆるステレオミニミニジャック（直径２．５ｍｍ）として構成されている。このジャック１３には、装置本体２に設けられた後述するプラグ６６（図１０を参照）が着脱可能に接続される。つまり、ジャック１３の挿入孔１３ａには、装置本体２のプラグ６６が挿入される。
【００２２】
ジャック１３には、係合部１４と、回転操作用突部１５が設けられている。係合部１４は、ジャック１３の先端部に形成されている。この係合部１４は、ジャック１３の周面から半径方向に突出する係合突起１６，１７からなっている。係合突起１６，１７は、ジャック１３の軸心に対して対称に配置されており、それぞれ略長方形の直方体状に形成されている。
【００２３】
係合突起１６は、ジャック１３の周面に連続する３つの平面１６ａ，１６ｂ，１６ｃを有している。第１平面１６ａは、ジャック１３の軸心が延びる方向と直交する。第２平面１６ｂと第３平面１６ｃは、互いに対向し、かつ第１平面１６ａと直交している。これと同様に、係合突起１７は、第１平面１７ａと、第２平面１７ｂと、第３平面１７ｃを有している。プラグ６６に接続したジャック１３を、軸心を中心に回転させると、係合突起１６，１７が装置本体２の後述する係止部材６７（図１０を参照）に係合される。
【００２４】
回転操作用突部１５は、ケーブル１１が接続されるジャック１３の基端部に形成されている。この回転操作用突部１５は、ジャック１３の周面に連続するリング状のベース突起1５ａと、このベース突起１５ａに連続する操作突起１５ｂからなっている。回転操作用突部１５は、ジャック１３がプラグ６６に接続された状態で装置本体２の外側に配置される。使用者は、回転操作用突部１５の操作突起１５ｂに指を引っ掛けてジャック１３の周方向に押圧することにより、ジャック１３を簡単に回転させることができる。
【００２５】
装置本体２には、接続部材３を介してビデオカメラから電源が供給される。そのため、接続部材３の装置本体２と接続される端部は、メス型のコネクタであるジャック１３が設けられている。そのため、ジャック１３が装置本体２のプラグ６６に接続されていない状態において、そのジャック１３の外面に金属などの導電性を有する部材が触れても、ビデオカメラ側の電気回路がショートして破損する心配が無い。
【００２６】
通常、プラグとジャックによって接続コネクタを構成する場合、コネクタ１２（図１を参照）のように、接続部材（ケーブル）にオス型のプラグを設ける。ところが、従来のケーブルのように、接続部材３の装置本体２と接続されるコネクタをプラグにすると、そのプラグに金属などの導電性を有する部材が触れた場合にビデオカメラ側の電気回路がショートして破損するという問題が生じる。
【００２７】
［装置本体の外観構成例］
次に、装置本体２の外観構成について図３〜図９を参照して説明する。
図３は装置本体２の外観斜視図、図４は正面図、図５は背面図、図６は右側面図、図７は左側面図、図８は平面図、図９は底面図である。
【００２８】
なお、以下の説明においては、使用者側から見た状態で前後方向、上下方向、左右方向を示し、装置本体２から接続部材３が延びる方向を前方とし、操作する使用者側を後方とする。
【００２９】
図３に示すように、装置本体２は、上方から見た形状が略コ字状に形成された筐体２１を備えている。この筐体２１は、前後方向に延びる長方形の略直方体からなる右筐体部２２と、この右筐体部２２と同様の長方形の略直方体からなる左筐体部２３と、これら右筐体部２２と左筐体部２３を左右方向に連結する連結筐体部２４を有している。
【００３０】
右筐体部２２の長手方向の一側は、後方に突出する突出部２６となっている。この突出部２６は、装置本体２を把持して使用する場合に右手で握るハンドルとなり、装置本体２をテーブルなどの載置台に載置して使用する場合に右腕を置くアームレストとなる。
【００３１】
右筐体部２２の上面２２ａは、連結筐体部２４と反対側の長辺に達するにつれて低くなるように傾斜している。この右筐体部２２の上面２２ａには、フォーカスコントロール用ダイヤル３１と、３つのアサインボタン３２Ａ，３２Ｂ，３２Ｃと、オートフォーカスボタン３３が設けられている（図３及び図４を参照）。
【００３２】
フォーカスコントロール用ダイヤル３１は、所定の厚みを有する円盤状に形成されており、右筐体部２２に回転可能に取り付けられている。このフォーカスコントロール用ダイヤル３１を時計回り及び反時計回りに回転させることにより、ビデオカメラのフォーカス操作を行うことができる。
【００３３】
３つのアサインボタン３２Ａ〜３２Ｃは、フォーカスコントロール用ダイヤル３１の前方に設けられており、左右方向に適当な間隔をあけて配置されている。これら３つのアサインボタン３２Ａ〜３２Ｃは、それぞれ１回の押圧操作で予め設定された機能を実行させるためのボタンである。予め設定される機能は、ビデオカメラが有する各種の機能であり、例えば、ビデオカメラの表示部或いはビデオカメラに接続された表示装置にカラーバーを表示させる機能などがある。
【００３４】
オートフォーカスボタン３３は、フォーカスコントロール用ダイヤル３１の後方に配置されている。このオートフォーカスボタン３３は、フォーカス操作を自動的に行う場合に押圧されるボタンである。
【００３５】
右筐体部２２の底面２２ｂの略中央には、左右方向に延びる溝部２７が設けられている（図６を参照）。この溝部２７には、突出部２６を握る右手の人差し指が当接される。また、右筐体部２２の底面２２ｂにおいて、溝部２７より後方の部分は、突出部２６の先端に達するにつれて右筐体部２２の厚みが薄くなるように傾斜されている。そのため、装置本体２を載置台に載置すると、右筐体部２２の上面２２ａが突出部２６の先端に達するにつれて低くなるように傾斜する。その結果、装置本体２を載置台に載置したときの操作性を向上させることができる。
【００３６】
左筐体部２３の長手方向の一側は、右筐体部２２と同様に、後方に突出する突出部２８となっている。この突出部２８は、装置本体２を把持して使用する場合に左手で握るハンドルとなり、装置本体２をテーブルなどの載置台に載置して使用する場合に左腕を置くアームレストとなる。
【００３７】
左筐体部２３の上面２３ａは、連結筐体部２４と反対側の長辺に達するにつれて低くなるように傾斜している。この左筐体部２３の上面２３ａには、アイリスコントロール用ダイヤル３５と、３つのアサインボタン３２Ｄ，３２Ｅ，３２Ｆと、オートアイリスボタン３６が設けられている（図３及び図４を参照）。
【００３８】
アイリスコントロール用ダイヤル３５は、所定の厚みを有する円盤状に形成されており、左筐体部２３に回転可能に取り付けられている。このアイリスコントロール用ダイヤル３５を時計回り及び反時計回りに回転させることにより、ビデオカメラのアイリス操作、いわゆる露出を決定する絞りの操作を行うことができる。
【００３９】
３つのアサインボタン３２Ｄ〜３２Ｆは、アイリスコントロール用ダイヤル３５の前方に設けられており、左右方向に適当な間隔をあけて配置されている。これら３つのアサインボタン３２Ｄ〜３２Ｆは、右筐体部２２に設けた３つのアサインボタン３２Ａ〜３２Ｃと同様のボタンである。つまり、本実施形態では、合計６個の機能を１回の押圧操作で実行することができる。
【００４０】
オートアイリスボタン３６は、アイリスコントロール用ダイヤル３５の後方に配置されている。このオートアイリスボタン３６は、アイリス操作を自動的に行う場合に押圧されるボタンである。
【００４１】
左筐体部２３の底面２３ｂの略中央には、左右方向に延びる溝部２９が設けられている（図７を参照）。この溝部２９には、突出部２８を握る右手の人差し指が当接される。また、左筐体部２３の底面２３ｂにおいて、溝部２９より後方の部分は、突出部２８の先端に達するにつれて左筐体部２３の厚みが薄くなるように傾斜されている。そのため、装置本体２を載置台に載置すると、左筐体部２３の上面２３ａが突出部２８の先端に達するにつれて低くなるように傾斜する。その結果、装置本体２を載置台に載置したときの操作性を向上させることができる。
【００４２】
連結筐体部２４の上面２４ａには、メニューボタン４１と、方向キー４２と、ホールドスイッチ４３と、録画ボタン４４等が設けられている（図３及び図４を参照）。メニューボタン４１は、上面２４ａの略中央に配置されている。このメニューボタン４１は、ビデオカメラの表示部或いはビデオカメラに接続された表示装置に各種メニューを表示させるためのボタンである。
【００４３】
方向キー４２は、メニューボタン４１の後方に配置されている。この方向キー４２は、各種メニューを選択するカーソル等を移動させる操作部であり、装置本体２の前後方向及び左右方向に傾動可能に構成されている。また、方向キー４２は、押圧可能に構成されている。方向キー４２を押圧操作することにより、選択したメニューが決定される。
【００４４】
ホールドスイッチ４３及び録画ボタン４４は、方向キー４２の後方に配置されている。このホールドスイッチ４３は、装置本体２に設けられたフォーカスコントロール用ダイヤル３１やアイリスコントロール用ダイヤル３５等の各種操作部の操作を無効にするスイッチである。つまりホールドスイッチ４３によって各種操作部の操作を無効にすると、装置本体２からビデオカメラへの信号の出力を停止させるようになっている。録画ボタン４４は、押圧操作を行う度に録画のスタートとストップが繰り返されるようになっている。
【００４５】
連結筐体部２４の底面２４ｂには、溝部４６と、２つのパン棒用係合溝４７Ａ，４７Ｂと、２つのブラケット用ねじ孔４８Ａ，４８Ｂと、三脚用ねじ孔４９が設けられている（図５を参照）。
【００４６】
溝部４６は、装置本体２の左右方向に延びており、右筐体部２２の溝部２７及び左筐体部２３の溝部２９と一直線上に並ぶように配置されている。この溝部４６には、溝部２７，２９と同様に、突出部２６，２８を握る左右の手の人差し指が当接される。これら溝部２７，２９，４６を設けることにより、ハンドルとなる突出部２６，２８のグリップ感を向上させることができる。
【００４７】
２つのパン棒用係合溝４７Ａ，４７Ｂは、溝部４６を挟んで前後方向に延びるように形成されている。パン棒用係合溝４７Ａ，４７Ｂは、装置本体２を三脚のパン棒に取り付ける場合に、そのパン棒が係合される溝である。装置本体２を三脚のパン棒に取り付ける場合、後述するパン棒用取付ブラケット１０１を連結筐体部２４の底面２４ｂに固定し、パン棒用取付ブラケット１０１と連結筐体部２４の底面２４ｂによってパン棒を挟み込む。このパン棒用取付ブラケット１０１は、ブラケット用ねじ孔４８Ａ，４８Ｂに後述するツマミ付きねじ１１０，１１０を螺合することにより、連結筐体部２４の底面２４ｂに固定される。
【００４８】
２つのブラケット用ねじ孔４８Ａ，４８Ｂは、パン棒用係合溝４７Ａを挟んで左右方向に並ぶように配置されている。これらブラケット用ねじ孔４８Ａ，４８Ｂは、パン棒用取付ブラケット１０１を連結筐体部２４の底面２４ｂに固定するときに用いるだけでなく、その他の付属装置（アクセサリ）を取り付けるために用いてもよい。また、三脚用ねじ孔４９は、右筐体部２２側に配置されたブラケット用ねじ孔４８Ａとパン棒用係合溝４７Ａとの間に配置されている。
【００４９】
連結筐体部２４の正面２４ｃの略中央には、連結筐体部２４の底面２４ｂに開口された凹部５０が設けられている（図５及び図８を参照）。この凹部５０を形成する壁面のうち正面２４ｃと略平行な壁面５１には、接続部材３のジャック１３が挿通される開口部５２が設けられている。
【００５０】
開口部５２は、ジャック１３とこのジャック１３に設けられた係合突起１６，１７の外形と同じ形状に形成されている。開口部５２をジャック１３及び係合突起１６，１７の外形と同じ形状にすることにより、ジャック１３を開口部５２に挿入するジャック１３の姿勢を常に同じにすることができ、ジャック１３をプラグ６６に接続するときに係合突起１６，１７と後述する係止部材６７が干渉することを防止することができる。
【００５１】
連結筐体部２４の背面２４ｄには、ズームコントロール用ツマミ５３が設けられている。このズームコントロール用ツマミ５３は、所定の厚みを有する略半円形の部材からなり、周面５３ａと、この周面５３ａに連続して周面５３ａと同じ方向に湾曲する湾曲面５３ｂを有している。
【００５２】
ズームコントロール用ツマミ５３は、湾曲面５３ｂが上方を向くように配置され、連結筐体部２４の背面２４ｄに略直交する回動軸５４（図１０を参照）を中心に回動可能に取り付けられている。このズームコントロール用ツマミ５３を時計回り及び反時計回りに回動させることにより、ビデオカメラのズーム操作を行うことができる。
【００５３】
［装置本体の内部構成例］
次に、装置本体２の内部構成について図１０を参照して説明する。
図１０は、装置本体２の分解斜視図である。
【００５４】
図１０に示すように、筐体２１は、上ケース６１と、下ケース６２から構成されている。上ケース６１は、左右の筐体部２２，２３と連結筐体部２４（図３を参照）の上面２２ａ，２３ａ，２４ａを形成しており、下ケース６２は、底面２２ｂ，２３ｂ，２４ｂを含むその他の面を形成している。
【００５５】
筐体２１の内部には、回路基板６４と、ズームコントロール用ツマミ５３の回転動作をスライド動作に変換するリンク機構６５と、接続部材３のジャック１３（図２を参照）が接続される略円柱状の（ピン型）のプラグ６６と、係止部材６７が設けられている。
【００５６】
回路基板６４は、略四角形に形成されており、固定ねじ（図示せず）によって上ケース６１に固定されている。この回路基板６４には、アサインボタン３２Ａ〜３２Ｆや録画ボタン４４などの各種操作ボタンに対応する複数のスイッチ６８と、ロータリエンコーダ６９Ａ，６９Ｂが実装されている。また、回路基板６４には、複数のスイッチ６８及びロータリエンコーダ６９Ａ，６９Ｂ等と電気的に接続されたマイコン (Microcomputer)が実装されている。このマイコンは、複数のスイッチ６８及びロータリエンコーダ６９Ａ，６９Ｂ等から得た電気信号に基づいて、ビデオカメラへ出力する出力信号を生成する。
【００５７】
ロータリエンコーダ６９Ａは、フォーカスコントロール用ダイヤル３１に固定され、フォーカスコントロール用ダイヤル３１の回転の変位量を検出する。また、ロータリエンコーダ６９Ｂは、アイリスコントロール用ダイヤル３５に固定され、アイリスコントロール用ダイヤル３５の回転の変位量を検出する。
【００５８】
リンク機構６５は、軸受部材７１と、クランク部材７２と、アーム部材７３と、リニアセンサ７４を備えている。軸受部材７１は、固定ねじ（図示せず）によって上ケース６１に固定される。この軸受部材７１は、ズームコントロール用ツマミ５３の回動軸５４が回動可能に貫通する軸受部７６と、この軸受部７６の一側に連続するベース部７７から構成されている。
【００５９】
軸受部材７１の軸受部７６と回動軸５４との間には、回動軸５４を付勢する戻りばね７８が設けられている。この戻りばね７８により、ズームコントロール用ツマミ５３は、湾曲面５３ｂが上方を向いた基準位置に常に戻るようになっている。ベース部７７は、上ケース６１に固定される固定片７７ａと、この固定片７７ａに連続する取付け片７７ｂを有している。取付け片７７ｂは、装置本体２の前後方向に直交する平面を有している。この取付け片７７ｂには、リニアセンサ７４が固定ねじ（図示せず）によって取り付けられる。
【００６０】
クランク部材７２は、軸受部７６を貫通した回動軸５４の先端に固定ねじ（図示せず）によって固定される。このクランク部材７２は、回動軸の先端に固定される固定片７２ａと、この固定片７２ａの回動軸５４に当接する面と反対側の面から突出する係合ピン７２ｂを有している。係合ピン７２ｂは、回動軸５４の軸心に対して変位した位置に設けられており、アーム部材７３の後述する第１貫通孔７３ａに回転可能に嵌合される。
【００６１】
アーム部材７３は、細長の略長方形に形成さている。このアーム部材７３の一端部には、クランク部材７２の係合ピン７２ｂが摺動可能に嵌合される第１貫通孔７３ａが設けられている。一方、アーム部材７３の他端部には、リニアセンサ７４のスライド軸７４ａが摺動可能に嵌合される第２貫通孔７３ｂが設けられている。
【００６２】
リニアセンサ７４は、スライド軸７４ａと、このスライド軸７４ａを所定のストローク内でスライド可能に支持する軸支持部７４ｂを有しており、スライド軸７４ａの位置を電圧として検出する。軸支持部７４ｂは、スライド軸７４ａを装置本体２の左右方向に案内する。スライド軸７４ａは、ズームコントロール用ツマミ５３が基準位置に戻ると、装置本体２の左右方向に延びる所定のストロークの中間に位置するようになっている。
【００６３】
プラグ６６は、接続部材３のコネクタ１２と同様に、いわゆるステレオミニミニプラグ（直径２．５ｍｍ）として構成されている。このプラグ６６は、プラグ端子６６ａと、このプラグ端子６６ａの基端部を保持するプラグハウジング６６ｂと、一端がプラグハウジング６６ｂ内に挿入され、プラグ端子６６ａと電気的に接続されたケーブル６６ｃを有している。
【００６４】
プラグ端子６６ａは、導電性を有する金属によって略円柱状に形成されている。このプラグ端子６６ａは、ジャック１３の挿入孔１３ａに挿入される。プラグ端子６６ａがジャック１３の挿入孔１３ａに挿入されると、ジャック１３とプラグ６６が接続された状態となる。プラグハウジング６６ｂは、絶縁部材によって略Ｌ字状に形成されている。このプラグハウジング６６ｂは、係止部材６７の後述するプラグホルダ８１に保持される。
【００６５】
ケーブル６６ｃの他端は、回路基板６４に設けられた配線部（図示せず）に接続され、この配線部がマイコンに接続されている。つまり、プラグ６６は、回路基板６４を介してマイコンと電気的に接続される。
なお、係止部材６７の構成については、後で詳しく説明する。
【００６６】
［リンク機構の動作］
次に、リンク機構６５の動作について図１１を参照して説明する。
図１１は、リンク機構６５の斜視図である。
【００６７】
図１１に示すように、ズームコントロール用ツマミ５３が基準位置にある状態では、リニアセンサ７４のスライド軸７４ａは、軸支持部７４ｂの中間部に位置している。この状態からズームコントロール用ツマミ５３を時計回りに回動させると、回動軸５４が時計回りに回動する。これにより、回動軸５４の先端に固定されたクランク部材７２が時計回りに回動し、クランク部材７２の係合ピン７２ｂが装置本体２の左方向であるＸ１方向に変位する。
【００６８】
クランク部材７２の係合ピン７２ｂは、アーム部材７３の第１貫通孔７３ａ嵌合されている。したがって、クランク部材７２の係合ピン７２ｂがＸ１方向に変位すると、アーム部材７３は、Ｘ１方向に変位する。その結果、アーム部材７３の第２貫通孔７３ｂに挿通されたリニアセンサ７４のスライド軸７４ａがＸ１方向に変位する。
【００６９】
リニアセンサ７４は、スライド軸７４ａの変位量に基づいた電圧を回路基板６４に実装されたマイコンに出力する。マイコンは、供給された電圧からビデオカメラのズーム操作を行うための信号を生成し、接続部材３を介してビデオカメラに出力する。本実施の形態において、スライド軸７４ａが所定のストロークの中間からＸ１方向に変位すると、マイコンは、撮影画面を広角（ワイド）にするような信号を生成する。
【００７０】
一方、ズームコントロール用ツマミ５３を基準位置から反時計回りに回動させると、回動軸５４の先端に固定されたクランク部材７２が反時計回りに回動する。これにより、クランク部材７２の係合ピン７２ｂが装置本体２の右方向であるＸ２方向に変位する。クランク部材７２の係合ピン７２ｂがＸ２方向に変位すると、アーム部材７３がＸ２方向に変位する。
【００７１】
その結果、アーム部材７３の第２貫通孔７３ｂに挿通されたリニアセンサ７４のスライド軸７４ａがＸ２方向に変位し、リニアセンサ７４がスライド軸７４ａの変位量に基づいた電圧をマイコンに出力する。マイコンは、供給された電圧からビデオカメラのズーム操作を行うための信号を生成し、接続部材３を介してビデオカメラに出力する。本実施の形態において、スライド軸７４ａが所定のストロークの中間からＸ２方向に変位すると、マイコンは、撮影画面を望遠（テレ）にするような信号を生成する。
【００７２】
一般的に、ズームコントロール用ツマミ５３の回動に基づいた電圧を得るには、ロータリセンサが用いられる。ところが、ズームコントロール用ツマミ５３の回動する角度を小さく設定する場合には、ロータリセンサの性能を効率よく利用することが難しい。
【００７３】
例えば、ズームコントロール用ツマミ５３が回動する角度を、基準位置から５０°（時計回りと反時計回りにそれぞれ５０°）とする。そして、一般的なロータリセンサによって検出できる角度は３００°である。したがって、ロータリセンサの使用率Ｕｒは、
Ｕ＝５０°×２／３００°≒３３％
となる。
【００７４】
そこで、本実施形態では、ズームコントロール用ツマミ５３の回動動作をスライド軸７４ａのスライド動作に変換するリンク機構６５を設けた。そのため、ズームコントロール用ツマミ５３が回動する角度を小さく設定しても、リニアセンサ７４の性能を効率よく利用することができる。
【００７５】
上述したロータリセンサを用いる場合と同様に、ズームコントロール用ツマミ５３の回動する角度を、基準位置から５０°（時計回りと反時計回りにそれぞれ５０°）とする。そして、スライド軸７４ａの所定のストロークを２０ｍｍとする。そして、本実施形態のリンク機構６５を用いると、ズームコントロール用ツマミ５３を基準位置から５０°回動させた場合にスライド軸７４ａを８．９ｍｍスライドさせることができた。
したがって、リニアセンサ７４の使用率Ｕｌは、
Ｕｌ＝８．９×２／２０≒８９％
となる。
【００７６】
このように、リニアセンサ７４の性能を効率よく利用することができるため、リニアセンサ７４によって得られる電圧の変化量を大きくすることができる。その結果、マイコンによる細かい制御を行うことができ、撮影する画像の拡大及び縮小をゆっくりと行うことができる。
【００７７】
また、ズームコントロール用ツマミ５３は、湾曲面５３ｂが上方を向くように配置されている。そのため、一方の突部が回動軸５４を中心に回動して下方に変位すると、他方の突部が上方に変位する。その結果、使用者は、ズーム操作用のボタンとして一般的に用いられるシーソー型のボタンを操作するような感触でズームコントロール用ツマミ５３を操作することができる。
【００７８】
［係止部材の構成例］
次に、係止部材６７の構成について図１２〜図１４を参照して説明する。
図１２は、筐体２１の上ケース６１に固定された係止部材６７を示す斜視図である。図１３は、同じく係止部材６７を示す平面図である。図１４は、係止部材６７の要部を示す説明図である。
【００７９】
係止部材６７は、プラグ６６を保持するプラグホルダ８１と、接続部材３のジャック１３と係合する係合ブロック８２から構成されている。この係止部材６７は、固定ねじ８０（図１３を参照）によって上ケース６１に固定されている。
【００８０】
プラグホルダ８１は、一面が開口された略直方体状の筐体からなり、装置本体２の前後方向に対向する前壁８１ａ及び後壁８１ｂと、装置本体２の左右方向に対向する右壁８１ｃ及び左壁８１ｄを有している。これら４つの壁８１ａ〜８１ｄは、プラグ６６のプラグハウジング６６ｂが嵌合されるプラグ嵌合部８３を形成している。
【００８１】
プラグホルダ８１の前壁８１ａには、プラグハウジング６６ｂのプラグ端子６６ａが突出する面を露出させる切欠き８４Ａが設けられている。また、左壁８１ｄには、プラグ６６のケーブル６６ｃを挿通させるための切欠き８４Ｂが設けられている。
【００８２】
プラグホルダ８１のプラグ嵌合部８３にプラグハウジング６６ｂを嵌合させると、プラグ６６は、プラグ端子６６ａの先端が装置本体２の開口部５２に臨むように筐体２１内に配置される。そのため、プラグ６６にジャック１３が接続されていない状態でプラグ端子６６ａに導電性を有する部材、例えば、その他の機器に用いられるコネクタが接触して通電する心配が無い。
【００８３】
係合ブロック８２は、側面形状が略Ｌ字状に形成されており、プラグホルダ８１に連続するベース板８６と、プラグホルダ８１の前壁８１ａと対向する係止板８７を備えている。ベース板８６は、回路基板６４を挟んで上ケース６１に固定されている。つまり、ベース板８６及び回路基板６４には、固定ねじ８０が貫通する貫通孔（図示せず）が形成されているそして、ベース板８６及び回路基板６４の貫通孔を貫通した固定ねじ８０が上ケース６１に設けられたボス（図示せず）に螺合されるようになっている。
【００８４】
係止板８７は、筐体２１の正面２４ｃとプラグホルダ８１との間に配置される。この係止板８７には、筐体２１の正面２４ｃに設けられた開口部５２（図４を参照）に対向する挿通穴８８が形成されている。挿通穴８８は、開口部５２と同じ形状に形成されている。この挿通穴８８には、開口部５２から挿入されたジャック１３が挿通される。そして、ジャック１３の挿入孔１３ａにプラグ端子６６ａを挿入した状態において、ジャック１３の係合突起１６，１７は、係止板８７の挿通穴８８を貫通し、係止板８７とプラグホルダ８１との間に介在される。
【００８５】
図１４は、係止板８７のプラグホルダ８１と対向する面を示す説明図である。係止板８７のプラグホルダ８１と対向する面には、第１制限突部９１Ａ，９１Ｂと、第２制限突部９２Ａ，９２Ｂと、抵抗突部９３Ａ，９３Ｂが設けられている。
【００８６】
第１制限突部９１Ａ，９１Ｂは、ベース板８６の平面と平行な平面を有する板体からなっている。この第１制限突部９１Ａ，９１Ｂは、ジャック１３の反時計回り（装置本体２の外側から見て反時計回り）の回転を制限する。
【００８７】
ジャック１３の挿入孔１３ａにプラグ端子６６ａを挿入した状態において、第１制限突部９１Ａには、係合突起１６の第２平面１６ｂが当接され、第１制限突部９１Ｂには、係合突起１７の第３平面１７ｃが当接される。或いは、第１制限突部９１Ａに係合突起１７の第３平面１７ｃが当接され、第１制限突部９１Ｂに係合突起１６の第２平面１６ｂが当接される。その結果、第１制限突部９１Ａ，９１Ｂは、挿入孔１３ａにプラグ端子６６ａが挿入されると、ジャック１３の反時計回りの回転を係止する。
【００８８】
第２制限突部９２Ａ，９２Ｂは、ベース板８６の平面に対して直交する平面を有する板体からなっている。この第２制限突部９２Ａ，９２Ｂは、ジャック１３の時計回り（装置本体２の外側から見て時計回り）の回転を制限する。
【００８９】
ジャック１３の挿入孔１３ａにプラグ端子６６ａを挿入し、ジャック１３を時計回りに略９０°回転させると、第２制限突部９２Ａには、係合突起１７の第２平面１７ｂが当接され、第２制限突部９２Ｂには、係合突起１６の第３平面１６ｃが当接される。或いは、第２制限突部９２Ａに係合突起１６の第３平面１６ｃが当接され、第２制限突部９２Ｂに係合突起１７の第２平面１７ｂが当接される。その結果、第２制限突部９２Ａ，９２Ｂは、ジャック１３の時計回りの回転を略９０°に制限する。
【００９０】
つまり、第１制限突部９１Ａ，９１Ｂと、第２制限突部９２Ａ，９２Ｂにより、ジャック１３がプラグ６６から外れないようにロックするときのジャック１３の回転方向と、そのロックを解除するときのジャック１３の回転方向を反対にすることができる。これにより、ジャック１３のロック及びロック解除を行うときの操作性を向上させることができる。
【００９１】
抵抗突部９３Ａ，９３Ｂは、ジャック１３を回転させたときに、係合突起１６，１７の第１平面１６ａ，１７ａが乗り越えるように係合する。本実施形態では、係合突起１６，１７の第１平面１６ａ，１７ａが抵抗突部９３Ａ，９３Ｂをそれぞれ乗り越えると、ジャック１３の時計回りの回転が第２制限突部９２Ａ，９２Ｂによって係止される。この抵抗突部９３Ａ，９３Ｂを設けることにより、クリック感を生じさせることができ、ジャック１３がプラグ６６から外れないようにロックされたことを使用者に認識させることができる。
【００９２】
［装置本体のプラグと接続部材のジャックとの接続動作］
次に、装置本体２のプラグ６６と接続部材３のジャック１３との接続動作について、図１５を参照して説明する。
図１５Ａはジャック１３の挿入孔１３ａにプラグ６６のプラグ端子６６ａを挿入した状態の断面図、図１５Ｂは図１５Ａに示す状態からジャック１３を時計回りに略９０°回転させた状態を示す断面図である。
【００９３】
装置本体２のプラグ６６に接続部材３のジャック１３を接続するには、まず、ジャック１３を装置本体２の筐体２１に設けた開口部５２と係止部材６７の挿通穴８８に挿入する。これにより、ジャック１３の挿入孔１３ａにプラグ６６のプラグ端子６６ａが挿入される（図１５Ａを参照）。挿入孔１３ａにプラグ端子６６ａが挿入されると、ジャック１３がプラグ６６に電気的に接続された状態となるが、接続部材３を引っ張ると、ジャック１３がプラグ６６から外れてしまう。
【００９４】
また、ジャック１３の挿入孔１３ａにプラグ６６のプラグ端子６６ａを挿入させると、ジャック１３に設けた係合突起１６の第２平面１６ｂ及び係合突起１７の第３平面１７ｃが第１制限突部９１Ａ，９１Ｂに当接する。そのため、ジャック１３の反時計回りの回転が係止される。
【００９５】
次に、ジャック１３に設けた回転操作用突部１５に指を引っ掛けて、ジャック１３を時計回りに回動させる。これにより、係合突起１６，１７の第１平面１６ａ，１７ａが、係止板８７のプラグホルダ８１に対向する面の上を摺動し、係合突起１６，１７が係止部材６７に係合する。
【００９６】
ジャック１３を時計回りに略９０°回転させると、係合突起１６，１７の第１平面１６ａ，１７ａが抵抗突部９３Ａ，９３Ｂ（図１４を参照）をそれぞれ乗り越える。これにより、ジャック１３にクリック感を生じさせることができる。そして、係合突起１６の第３平面１６ｃ及び係合突起１７の第２平面１７ｂが第２制限突部９２Ａ，９２Ｂに当接される。その結果、ジャック１３の時計回りの回転が係止され、プラグ６６とジャック１３との接続動作が終了する（図１５Ｂを参照）。
【００９７】
この状態において、係合突起１６，１７の第１平面１６ａ，１７ａが、係止板８７のプラグホルダ８１に対向する面と当接している。そのため、接続部材３を引っ張ってもジャック１３がプラグ６６から外れることを防止することができる。
【００９８】
プラグ６６からジャック１３を外すには、ジャック１３を反時計回りに回動させる。このとき、係合突起１６，１７の第１平面１６ａ，１７ａが、係止板８７のプラグホルダ８１に対向する面の上を摺動し、係合突起１６，１７の第１平面１６ａ，１７ａが抵抗突部９３Ａ，９３Ｂをそれぞれ乗り越える。
【００９９】
ジャック１３を反時計回りに略９０°回転させると、係合突起１６の第２平面１６ｂ及び係合突起１７の第３平面１７ｃが第１制限突部９１Ａ，９１Ｂに当接する。そのため、ジャック１３の反時計回りの回転が係止される。このとき、係合突起１６，１７の第１平面１６ａ，１７ａが装置本体２の開口部５２に対向される。そのため、ジャック１３を引っ張ると、ジャック１３がプラグ６６から外れる。
【０１００】
［パン棒用取付ブラケットの構成例］
次に、パン棒用取付ブラケットの構成について、図１６を参照して説明する。
図１６は、装置本体２の底面２４ｂに着脱可能に取り付けられるパン棒用取付ブラケットの斜視図である。
【０１０１】
パン棒用取付ブラケット１０１は、装置本体２を三脚のパン棒に固定する場合に用いられる付属品となっている。このパン棒用取付ブラケット１０１は、所定の厚みを有する略長方形の板体からなる。パン棒用取付ブラケット１０１の上面１０１ａは、装置本体２の底面２４ｂに当接される。この上面１０１ａの中央部には、幅方向の一端から他端に達する係合溝１０２が設けられている。この係合溝１０２には、三脚のパン棒（図示せず）が係合される。また、パン棒用取付ブラケット１０１の長手方向の両端部には、ツマミ付きねじ１１０を貫通させるねじ貫通孔１０３，１０３が設けられている。
【０１０２】
装置本体２を三脚のパン棒に取り付けるには、パン棒用取付ブラケット１０１と装置本体２の底面２４ｂ（図９を参照）との間にパン棒を介在させ、ツマミ付きねじ１１０，１１０によってパン棒用取付ブラケット１０１を装置本体２の底面２４ｂに固定する。つまり、ツマミ付きねじ１１０，１１０を装置本体２の底面２４ｂに設けたブラケット用ねじ孔４８Ａ，４８Ｂに螺合させ、パン棒用取付ブラケット１０１を装置本体２の底面２４ｂに固定する。
【０１０３】
その結果、パン棒用取付ブラケット１０１と装置本体２の底面２４ｂによってパン棒が挟まれ、装置本体２がパン棒に固定される。このとき、パン棒は、装置本体２の底面２４ｂに設けたパン棒用係合溝４７Ａ，４７Ｂとパン棒用取付ブラケット１０１の係合溝１０２に係合されるため、パン棒に取り付けた装置本体２を安定させることができる。
【０１０４】
［装置本体の使用例］
次に、装置本体２の使用例について、図１７及び図１８を参照して説明する。
図１７は、装置本体２を把持して使用する状態の説明図である。図１８は、装置本体２をテーブルなどの載置台に載置して使用する状態の説明図である。
【０１０５】
図１７に示すように、装置本体２を把持して使用する場合は、装置本体２の突出部２６，２８がハンドルとなる。この場合は、フォーカスコントロール用ダイヤル３１を右手の親指で簡単に操作することができ、アイリスコントロール用ダイヤル３５を左手の親指で簡単に操作することができる。また、ズームコントロール用ツマミ５３は、両手の親指で簡単に操作することができる。このとき、両手の人差し指は、装置本体２の溝部２７、溝部２９及び溝部４６内に収まるため、装置本体２を安定した姿勢で把持することができる。
【０１０６】
図１８に示すように、装置本体２をテーブルなどの載置台１２０に載置して使用する場合は、装置本体２の突出部２６，２８が手（腕）を置くアームレストとなる。この場合は、フォーカスコントロール用ダイヤル３１を右手の人差し指で簡単に操作することができ、アイリスコントロール用ダイヤル３５を左手の人差し指で簡単に操作することができる。そして、ズームコントロール用ツマミ５３は、両手の親指で簡単に操作することができる。このとき、装置本体２の上面２２ａ，２３ａ，２４ａが使用者側に達するにつれて低くなるように傾斜するため、装置本体２の各種操作部を操作し易くすることができる。
【０１０７】
［第１の実施形態の効果］
上述した実施形態のコントロール装置１によれば、接続部材３のジャック１３を装置本体２の筐体内に挿入し、ジャック１３の挿入孔１３ａにプラグ６６のプラグ端子６６ａを挿入させることにより、ジャック１３とプラグ６６が電気的に接続される。そして、ジャック１３を回転させると、ジャック１３の先端部に設けた係合突起１６，１７の第１平面１６ａ，１７ａが、係止部材６７の係止板８７に当接する。その結果、接続部材３を引っ張ってもジャック１３がプラグ６６から外れることを防止することができる。
【０１０８】
上述した実施形態のコントロール装置１によれば、接続部材３のジャック１３が装置本体２のプラグ６６に着脱可能に装着される。したがって、長さの異なる複数の接続部材３を用意することで撮影状況に応じた長さの接続部材３を使用することができる。
【０１０９】
上述した実施形態のコントロール装置１によれば、接続部材３にメス型のコネクタであるジャック１３を設け、装置本体２にオス型のコネクタであるプラグ６６を設けた。したがって、ビデオカメラから装置本体２に接続部材３を介して電源が供給される場合に、プラグ６６に接続されていないジャック１３に導電性の部材が触れても、ビデオカメラ側の電気回路がショートして破損する心配が無い。
【０１１０】
上述した実施形態のコントロール装置１によれば、第１制限突部９１Ａ，９１Ｂと、第２制限突部９２Ａ，９２Ｂによってジャック１３の回転範囲を制限する。そのため、ジャック１３をロックする場合と、そのロックを解除する場合のジャック１３の回転方向を反対にすることができる。その結果、ジャック１３のロック及びロック解除を行うときの操作性を向上させることができる。
【０１１１】
上述した実施形態のコントロール装置１によれば、係合突起１６，１７の第１平面１６ａ，１７ａが係合することにより、ジャック１３の回転に対して抵抗力を生じさせる抵抗突部９３Ａ，９３Ｂを設けた。そのため、ジャック１３のロックする方向への回転が第２制限突部９２Ａ，９２Ｂによって係止される直前に、ジャック１３にクリック感を生じさせることができる。ジャック１３がロックされたことを使用者に認識させることができる。
【０１１２】
〈２．第２の実施の形態〉
［装置本体の外観構成例］
次に、本発明のコントロール装置の第２の実施形態について、図１９を参照して説明する。
図１９は、本発明のコントロール装置の第２の実施形態を示す斜視図である。
【０１１３】
第２の実施形態のコントロール装置１５１は、第１の実施形態のコントロール装置１と同様の構成を有しており、異なるところは、装置本体１５２に表示部１５４を設けたところである。そのため、ここでは、装置本体１５２の表示部１５４について説明し、コントロール装置１と共通する部分には同一符号を付して重複した説明を省略する。
【０１１４】
コントロール装置１５１は、表示部１５４を有する装置本体１５２と、接続部材３を備えている。装置本体１５２の表示部１５４は、パネルケース１５６と、表示パネル１５７と、支持アーム１５８Ａ，１５８Ｂを備えている。パネルケース１５６は、扁平な略直方体の筐体からなり、一面に開口部１５６ａを有している。
【０１１５】
表示パネル１５７は、例えば、液晶パネルや有機ＥＬ（Electro Luminescence）パネルなどの平面パネルからなっている。この表示パネル１５７は、パネルケース１５６の開口部１５６ａから露出される表示面１５７ａを有している。表示パネル１５７の表示面１５７ａには、ビデオカメラによって撮像された映像や、ビデオカメラのメニュー画面などが表示される。
【０１１６】
支持アーム１５８Ａ，１５８Ｂは、略Ｌ字状の折り曲げ部材からなり、それぞれの一端でパネルケース１５６を回動可能に支持している。支持アーム１５８Ａの他端は、筐体２１の右筐体部２２に固定され、支持アーム１５８Ｂの他端は、筐体２１の左筐体部２３に固定されている。パネルケース１５６が支持アーム１５８Ａ，１５８Ｂによって支持された状態では、表示パネル１５７の表示面１５７ａが後方を向くようになっている。
【０１１７】
［実施形態の変形例］
本発明は、前述しかつ図面に示した実施の形態に限定されるものではなく、その要旨を逸脱しない範囲内で種々の変形実施が可能である。例えば、上述した実施形態においては、ビデオカメラを離れた位置で操作するコントロール装置の例について説明したが、本発明のコントロール装置としては、デジタルビデオカメラやデジタルスチルカメラ等の撮像装置を収納して操作する防水ケースに適用することもできる。また、本発明のコントロール装置としては、その他の電子機器を離れた位置で操作するコントロール装置にも適用できる。
【０１１８】
上述した第１の実施形態では、接続部材３の係合部１４を２つの係合突起１６，１７から構成した。しかしながら、本発明に係る接続部材の係合部としては、１つの係合突起から構成してもよく、また、３つ以上の係合突起から構成してもよい。
【０１１９】
上述した第１の実施形態では、係止部材６７がプラグホルダ８１と係合ブロック８２とを備える構成とした。しかしながら、本発明に係る係止部材としては、係合ブロック８２のみで構成してもよい。その場合、プラグホルダ８１は、係止部材６７とは別の部品として構成される。
【０１２０】
上述した第２の実施形態では、装置本体１５２が表示部１５４を備える構成としたが、装置本体と別体に表示装置を設け、装置本体の筐体に取り付ける構成としてもよい。その場合、筐体に設けたブラケット用ねじ孔４８Ａ，４８Ｂを用いて表示装置を筐体に取り付けることができる。
【図面の簡単な説明】
【０１２１】
【図１】本発明のコントロール装置の第１の実施形態を示す外観斜視図である。
【図２】本発明のコントロール装置の第１の実施形態に係る接続部材のジャックを示す斜視図である。
【図３】本発明のコントロール装置の第１の実施形態に係る装置本体を示す外観斜視図である。
【図４】本発明のコントロール装置の第１の実施形態に係る装置本体の正面図である。
【図５】本発明のコントロール装置の第１の実施形態に係る装置本体の背面図である。
【図６】本発明のコントロール装置の第１の実施形態に係る装置本体の右側面図である。
【図７】本発明のコントロール装置の第１の実施形態に係る装置本体の左側面図である。
【図８】本発明のコントロール装置の第１の実施形態に係る装置本体の平面図である。
【図９】本発明のコントロール装置の第１の実施形態に係る装置本体の底面図である。
【図１０】本発明のコントロール装置の第１の実施形態に係る装置本体の分解斜視図である。
【図１１】本発明のコントロール装置の第１の実施形態に係るリンク機構の斜視図である。
【図１２】本発明のコントロール装置の第１の実施形態に係る係止部材の斜視図である。
【図１３】本発明のコントロール装置の第１の実施形態に係る係止部材の平面図である。
【図１４】本発明のコントロール装置の第１の実施形態に係る係止部材の係止板を示す説明図である。
【図１５】図１５Ａは本発明のコントロール装置の第１の実施形態に係るジャックの挿入孔にプラグ端子を挿入した状態の断面図、図１５Ｂは図１５Ａに示す状態からジャック１３を略９０°回転させた状態を示す断面図である。
【図１６】本発明のコントロール装置の第１の実施形態に係る装置本体に着脱可能に取り付けられるパン棒用取付ブラケットの斜視図である。
【図１７】本発明のコントロール装置の第１の実施形態を使用状態を示すものであり、装置本体を把持して使用する場合の説明図である。
【図１８】本発明のコントロール装置の第１の実施形態を使用状態を示すものであり、装置本体を載置台に載置して使用する場合の説明図である。
【図１９】本発明のコントロール装置の第２の実施形態を示す外観斜視図である。
【符号の説明】
【０１２２】
１，１５１…コントロール装置、  ２，１５２…装置本体（コントロール装置本体）、  ３…接続部材、  １１…ケーブル、  １２…コネクタ、  １３…ジャック、  １３ａ…挿入孔、  １４…係合部、  １５…回転操作用突部、  １６，１７…係合突起、  １６ａ，１７ａ…第１平面、  １６ｂ，１７ｂ…第２平面、  １６ｃ，１７ｃ…第３平面、  ２１…筐体、  ２２…右筐体部、  ２３…左筐体部、  ２４…連結筐体部、  ２６，２８…突出部、  ３１…フォーカスコントロール用ダイヤル、  ３５…アイリスコントロール用ダイヤル、  ５２…開口部、  ５３…ズームコントロール用ツマミ、  ５４…回動軸、  ６４…回路基板、  ６５…リンク機構、  ６６…プラグ、  ６６ａ…プラグ端子、  ６６ｂ…プラグハウジング、  ６６ｃ…ケーブル、  ６７…係止部材、      ７１…軸受部材、  ７２…クランク部材、  ７３…アーム部材、  ７４…リニアセンサ、    ８１…プラグホルダ、  ８２…係合ブロック、  ８３…プラグ嵌合部、  ８７…係止板、  ８８…挿通穴、  ９１Ａ，９１Ｂ・・・第１制限突部、  ９２Ａ，９２Ｂ…第２制限突部、９３Ａ，９３Ｂ…抵抗突部、  １５４…表示部
【図１】
2010056945.tif 000003
【図２】
2010056945.tif 000004
【図３】
2010056945.tif 000005
【図４】
2010056945.tif 000006
【図５】
2010056945.tif 000007
【図６】
2010056945.tif 000008
【図７】
2010056945.tif 000009
【図８】
2010056945.tif 000010
【図９】
2010056945.tif 000011
【図１０】
2010056945.tif 000012
【図１１】
2010056945.tif 000013
【図１２】
2010056945.tif 000014
【図１３】
2010056945.tif 000015
【図１４】
2010056945.tif 000016
【図１５】
2010056945.tif 000017
【図１６】
2010056945.tif 000018
【図１７】
2010056945.tif 000019
【図１８】
2010056945.tif 000020
【図１９】
2010056945.tif 000021